(57)【特許請求の範囲】
【請求項１】
上端が略ドーム状の蓋部によって閉塞し、下端が開口し、側面に開口窓を形成した横断面が円形又は多角形の筒体であって、
筒体を下端から土中の菌糸及び／又は菌根の集まった部分の縁部に差し込んで、筒体内部に菌糸及び／又は菌根の集まった部分の一部を有する採取片を収容し、筒体を引き抜いて採取した採取片を開口窓から取り出すと共に、採取片を移植したい場所の土中に、筒体を差し込んで引き抜くことによって、採取片と略同一形状の穴を形成することを特徴とする採取移植パイプ。
【請求項２】
開口窓は、横断面視で筒体の側面がなす外周の略半分を除去して形成されていることを特徴とする請求項１記載の採取移植パイプ。
【請求項３】
筒体の下端は、刃口となっていることを特徴とする請求項１又は２記載の採取移植パイプ。
【請求項４】
筒体の下端には、切削刃が取り付けられるようになっていることを特徴とする請求項１乃至３のいずれかに記載の採取移植パイプ。
【発明の詳細な説明】
【技術分野】
【０００１】
本発明は、外生菌根菌の菌糸及び／又は菌根の採取及び移植に使用される器具並びにその器具を使用した採取・移植方法に関し、特にマツタケの菌糸及び／又は菌根の採取・移植に使用される器具並びにその器具に関する。
【背景技術】
【０００２】
食用の外生菌根菌の一つであるマツタケは、アカマツ等の細根に感染した菌根とその菌根の周辺に菌糸を伸ばす。このようなマツタケの菌根と菌糸の集まった部分はシロと呼ばれている。一般にマツタケと呼ばれているきのこはマツタケ菌の子実体であり、この子実体はシロから発生することが知られている。
【０００３】
マツタケのシロを形成するためのマツタケの種菌作製法として、特許文献１に記載のマツタケの種菌作製法がある。このマツタケの種菌作製法では、シロと同一の土壌、水及び各種栄養成分を培地の基材として、マツタケの菌糸を植え付けて培養し、土壌の粒の間にまんべんなくマツタケの菌糸が増殖させることによって、マツタケの種菌を作製する。このマツタケの種菌をアカマツ山林に植え込むことによってシロが形成されることを期待するものである。
【特許文献１】特許第３７７７３４３号
【発明の開示】
【発明が解決しようとする課題】
【０００４】
しかしながら、子実体はシロ全体から発生するのではなくシロの縁部に発生することが知られている。さらにそのシロが年々拡大していくため、子実体が発生するシロの縁部の位置が年々変わることが知られている。つまり、前年に子実体が発生したシロから拡大した部分のシロにおいて本年は子実体が発生する。特許文献１のマツタケの種菌をアカマツ山林に植え込んだとしても、植え込んだ年の収穫時期に子実体が発生するシロが形成される可能性が分からないという問題がある。
【０００５】
上記点より本発明は、次の収穫期に子実体が発生する可能性が高いマツタケの菌糸及び／又は菌根の集まった部分から採取片を採取し、移植することができる器具及びその器具を提供することを目的とする。
【課題を解決するための手段】
【０００６】
上記課題を解決するため、請求項１の採取移植パイプは、上端が略ドーム状の蓋部によって閉塞し、下端が開口し、側面に開口窓を形成した横断面が円形又は多角形の筒体であって、筒体を下端から土中の菌糸及び／又は菌根の集まった部分の縁部に差し込んで、筒体内部に菌糸及び／又は菌根の集まった部分の一部を有する採取片を収容し、筒体を引き抜いて採取した採取片を開口窓から取り出すと共に、採取片を移植したい場所の土中に、筒体を差し込んで引き抜くことによって、採取片と略同一形状の穴を形成するようになっている。
【０００７】
請求項２の採取移植パイプは、開口窓が横断面視で筒体の側面がなす外周の略半分を除去して形成されている。
【０００８】
請求項３の採取移植パイプは、筒体の下端が刃口となっている。
【０００９】
請求項４の採取移植パイプは、筒体の下端には、切削刃が取り付けられるようになっている。
【発明の効果】
【００１０】
請求項１の採取移植パイプによれば、次の収穫期に子実体が発生する可能性が高い菌糸及び／又は菌根の集まった部分の縁部に筒体を差し込んで引き抜くことによって、筒体内部に採取片を収容した状態で容易に採取することができる。また、筒体の側面に開口窓を形成したことによって、容易に筒体内部の採取片を開口窓から取り出すことができるとともに、採取片の菌糸及び／又は菌根の状態を目視で確認することができる。
【００１１】
また、採取片と略同一形状の穴を採取の際に使用した筒体で形成することが出来るので、採取及び移植を１つの器具で行うことができる。
【００１２】
そして、採取移植パイプの筒体の横断面の形状を任意に選択することができる。
【００１３】
さらに、筒体の上端は、略ドーム状の蓋部によって閉塞されているので、筒体を下端から土中の菌糸及び／又は菌根の集まった部分の縁部に差し込む際に、蓋部をカナヅチ等で叩いても充分な耐久性を確保することができる。
【００１４】
請求項２の採取移植パイプによれば、開口窓は、横断面視で筒体の側面がなす外周の略半分を除去して形成されているので、筒体内部から採取片を取り出しやすいとともに、蓋部をカナヅチ等で叩いても充分な耐久性を確保することができる。
【００１５】
請求項３の採取移植パイプによれば、筒体の下端は、刃口となっていることによって、筒体を土中の菌糸及び／又は菌根の集まった部分の縁部に容易に差し込むことができる。
【００１６】
請求項４の採取移植パイプによれば、筒体の下端には、切削刃が取り付けられるようになっていることによって、筒体を土中の菌糸及び／又は菌根の集まった部分の縁部に容易に差し込むことができる。さらに切削刃がなまってきた場合には、容易に切削刃を交換することができる。
【発明を実施するための最良の形態】
【００１７】
以下、本発明の一実施形態について図面に基づいて説明する。
図１は、本発明の採取移植パイプ１の斜視図であり、採取片６を採取した状態を示す。
図２は、本発明の採取移植パイプ１の縦断面図である。
図３は、本発明の採取移植パイプ１を土中の菌糸及び／又は菌根の集まった部分であるシロ７に差し込む様子を示す部分断面図である。
【００１８】
採取移植パイプ１は、上端３が閉塞し、下端４が開口し、側面５に開口窓５１を形成した筒体２からなる。本実施形態では、筒体２は鉄からなり、筒体２の横断面は円形となっている。
【００１９】
筒体２の上端３は、略ドーム状の蓋部３１によって閉塞されている。筒体２の上端３が略ドーム状の蓋部３１によって閉塞されているので、筒体２を下端４から土中の菌糸及び／又は菌根の集まった部分であるシロ７の縁部７３に差し込む際に、蓋部３１をカナヅチ９で叩いても充分な耐久性を確保することができる（図３参照）。
【００２０】
開口窓５１は横断面視で筒体２の側面５がなす外周の略半分を除去して形成されている。本実施形態では、筒体２の横断面は円形となっているので、筒体２の内部から採取片６を取り出しやすいとともに、蓋部３１をカナヅチ９で叩いても充分な耐久性を確保することができる。
【００２１】
筒体２の下端４は、刃口４１となっている。刃口４１によって、筒体２を土中の菌糸及び／又は菌根の集まった部分であるシロの縁部７３（図３参照）に容易に差し込むことができる。
【００２２】
以下、上記説明した採取移植パイプ１を用いた採取及び移植の手順について説明する。
子実体は土中の菌糸及び／又は菌根の集まった部分であるシロ７全体から発生するのではなくシロ７の縁部に発生することが知られている。さらに、そのシロ７が年々拡大していくため、子実体が発生するシロ７の縁部の位置が年々変わることが知られている。図３は、土中のシロ７の様子を示す。シロ７は前々年に拡大した部分７１と前年に拡大した部分７２と本年拡大した部分である縁部７３とを有する。前年の子実体８は前年に拡大した部分７２から発生していた。
【００２３】
筒体２を下端４から、土中の菌糸及び／又は菌根の集まった部分であるシロ７の縁部７３に差し込んで、筒体２の内部にシロ７の縁部７３の一部を有する採取片６を収容する。次いで、筒体２を引き抜いて、採取片６を開口窓５１から取り出す。
【００２４】
採取片６は、図１に示すように、シロ部６１とシロ部６１の上に積層している土部６２と土部６２の上にさらに積層している腐葉部６３とを有する。
【００２５】
次の収穫期に子実体が発生する可能性が高い菌根と菌糸の集まった部分であるシロ７の縁部７３に筒体２を差し込んで引き抜くことによって、筒体２の内部に採取片６を収容した状態で容易に採取することができる。また、筒体２の側面５に開口窓５１を形成したことによって、筒体２の内部の採取片６を開口窓５１から容易に取り出すことができる。さらに、開口窓５１から採取片６の菌糸及び／又は菌根の状態を目視で確認することができる。
【００２６】
次いで、開口窓５１から取り出された採取片６は、土部６２と腐葉部６３とが取り除かれ、別の容器に入れて運搬される。
【００２７】
次いで、採取片６を移植したい場所の土中に、筒体２を差し込んで引き抜くことによって、採取片６と略同一形状の穴を形成する。採取片６を移植したい場所とは、具体的には、アカマツ、クロマツ、ハイマツ、ツガ及びコメツガなどの林がある尾根筋、頂上及び山の上層部の林床である。この林床は、南方向から西方向までの間の方角に向いており、風通しが良く、適度な日当たりがあることが望ましい。
【００２８】
次いで、移植したい場所の土中に形成した穴に採取片６を挿入することによって菌糸及び／又は菌根の移植を行う。採取片６と略同一形状の穴を採取の際に使用した筒体２で形成することが出来るので、採取移植方法において、採取及び移植を１つの器具で行うことができる。採取片６はシロ７の縁部７３から採取されたものなので、採取片６を移植して次の収穫期に子実体が発生する可能性が高いシロを移植することができる。
【００２９】
本実施形態では、筒体２の横断面形状は円形だったが、これに限定されることなく、筒体の横断面形状が例えば三角形や四角形などの多角形であってもよい。
【００３０】
本実施形態では、筒体２が鉄からなる場合について説明したが、これに限定されることなく、筒体の材料が例えば他の合金、樹脂等であってもよい。
【００３１】
本実施形態では、開口窓５１は横断面視で筒体２の側面５がなす外周の略半分を除去して形成されている場合について説明したが、これに限定されることなく、採取片の取り出し易さと蓋部をカナヅチ等で叩いても充分な耐久性とを両立できるのであれば、筒体２の断面形状に応じて、除去する外周の長さを自由に設定することができる。
【００３２】
本実施形態では、筒体２の下端４が刃口４１となっていたが、これに限定されることなく、例えば、筒体の下端に切削刃が取り付けられるようになっていてもよい。筒体の下端に切削刃が取り付けられるようになっていることによって、筒体を土中の菌糸及び／又は菌根の集まった部分の縁部に容易に差し込むことができる。さらに切削刃がなまってきた場合には、切削刃を容易に交換することができる。
【００３３】
本実施形態では、採取片６を採取しそのまま移植したが、これに限定されることなく、例えば、採取と移植との間で、採取片６に含まれている菌糸及び／又は菌根の培養及び繁殖を行ってもよい。
【００３４】
なお、本実施形態では、外生菌根菌を代表してマツタケの場合について説明したが、他の外生菌根菌の菌糸及び／又は菌根の採取及び移植にも、本発明の採取移植パイプの使用及び採取移植方法の採用が可能である。
【図面の簡単な説明】
【００３５】
【図１】本発明の採取移植パイプ１の斜視図であり、採取片６を採取した状態を示す。
【図２】本発明の採取移植パイプ１の縦断面図である。
【図３】本発明の採取移植パイプ１を土中の菌糸及び／又は菌根の集まった部分であるシロ７に差し込む様子を示す部分断面図である。
【符号の説明】
【００３６】
１    採取移植パイプ
２    筒体
３    上端
４    下端
５    側面
６    採取片
７    シロ（菌糸及び／又は菌根の集まった部分）
８    前年の子実体
９    カナヅチ
３１  蓋部
４１  刃口
５１  開口窓
６１  シロ部
６２  土部
６３  腐葉層
７１  前々年に拡大した部分
７２  前年に拡大した部分
７３  縁部
【図１】
0004682215.tif 000002
【図２】
0004682215.tif 000003
【図３】
0004682215.tif 000004